【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
ワークピースを被覆するための方法であって、
ａ）ジェランガム及び溶液中でジェランガムのイオン架橋を提供する化合物を含有する溶液を形成すること、及び
ｂ）ワークピース上にイオン架橋したジェランガム被覆を形成するために、ワークピースに前記溶液を塗布すること、
を含んでなる方法。
【請求項２】
前記イオン架橋したジェランガム被覆が白色を有する、請求項１に記載の方法。
【請求項３】
移植可能な医療デバイスの製造方法であって、
ａ）少なくとも１の部品を提供すること、
ｂ）ジェランガム及び溶液中でジェランガムのイオン架橋を提供する化合物を含有する溶液を形成すること、及び
ｃ）少なくとも１の部品上にイオン架橋したジェランガム被覆を形成するために、当該少なくとも１の部品に前記溶液を塗布すること、
を含んでなる製造方法。
【請求項４】
前記イオン架橋したジェランガム被覆が、接触する身体器官から前記被覆を識別できる白色を有する、請求項３に記載の方法。
【請求項５】
前記溶液が水を含んでなる、請求項１〜４のいずれか１項に記載の方法。
【請求項６】
前記溶液が極性溶媒を含んでなる、請求項１〜５のいずれか１項に記載の方法。
【請求項７】
ジェランガムのイオン架橋を提供する前記化合物が、二価カチオンを含んでなる、請求項１〜６のいずれか１項に記載の方法。
【請求項８】
前記二価カチオンが、Ca2+、Sr2+、Mg2+、及びBa2+からなる群から選択される、請求項７に記載の方法。
【請求項９】
ジェランガムのイオン架橋を提供する前記化合物が、塩化カルシウムを含んでなる、請求項１〜８のいずれか１項に記載の方法。
【請求項１０】
ジェランガムのイオン架橋を提供する前記化合物が、塩化バリウムを含んでなる、請求項１〜９のいずれか１項に記載の方法。
【請求項１１】
前記ジェランガムと分散剤との混合物を形成すること、及び
当該ジェランガム及び分散剤の混合物を溶液に添加すること、
をさらに含んでなる、請求項１〜１０のいずれか１項に記載の方法。
【請求項１２】
イオン架橋したジェランガム被覆を可塑化する剤を、イオン架橋したジェランガム被覆に塗布することをさらに含んでなる、請求項１〜１１のいずれか１項に記載の方法。
【請求項１３】
前記ワークピース又は少なくとも１の部品に溶液を塗布する前に、溶液中でジェランガムが液状であるように、溶液を高温に加熱することをさらに含んでなる、請求項１〜１２のいずれか１項に記載の方法。
【請求項１４】
前記少なくとも１の部品が、血管移植片の管状部分を含んでなる、請求項３に記載の方法。
【請求項１５】
前記管状部分が、血液がその管状壁を通って漏出しないように、イオン架橋したジェランガム被覆で密封した織布又は編布により実現される、請求項１４に記載の方法。
【請求項１６】
前記溶液中に管状部分を沈めること、
溶液から管状部分を引き出すこと、
引き出し後に管状部分から過剰なゲルを絞り出すこと、及び
管状部分を乾燥させること、
をさらに含んでなる請求項１５に記載の方法。
【請求項１７】
前記絞りが、管状部分を２つのローラーの間で絞ることにより実施される、請求項１６に記載の方法。
【請求項１８】
前記溶液の上に加熱空気領域を維持すること、及び
引き出しの際、管状部分を加熱空気領域に通過させること、
をさらに含んでなる請求項１６に記載の方法。
【請求項１９】
前記少なくとも１の部品が、ステント移植片の部分を含んでなる、請求項３に記載の方法。
【請求項２０】
前記少なくとも１の部品が、ステントの部分を含んでなる、請求項３に記載の方法。
【請求項２１】
前記少なくとも１の部品が、抗凝血剤を含有する、請求項１４〜２０のいずれか１項に記載の方法。
【請求項２２】
少なくとも１の部品に溶液を塗布する前に、前記抗凝血剤を溶液に添加する、請求項２１に記載の方法。
【請求項２３】
前記ジェランガム被覆が治療剤を含有する、請求項３に記載の方法。
【請求項２４】
ワークピース上にジェランガム被覆を作製するための方法であって、
ａ）第一溶液に、ジェランガムを含有する材料を溶解させること、
ｂ）ワークピース上に被覆を形成させるため、第一溶液をワークピースに塗布すること、
ｃ）被覆を乾燥させること、及び
ｄ）乾燥後に前記被覆を、被覆のジェランガムのイオン架橋を提供する化合物を含有する第二溶液に曝すこと、
を含んでなる方法。
【請求項２５】
前記被覆が白色を有する、請求項２４に記載の方法。
【請求項２６】
移植可能な医療デバイスの製造方法であって、
ａ）少なくとも１の部品を提供すること、
ｂ）第一溶液にジェランガム材料を溶解させること、
ｃ）少なくとも１の部品上にジェランガム被覆を形成させるため、少なくとも１の部品に第一溶液を塗布すること、
ｄ）ジェランガム被覆を乾燥させること、及び
ｅ）乾燥後に、ジェランガム被覆を、ジェランガム被覆のイオン架橋を促進させる化合物を含有する第二溶液に曝すこと、
を含んでなる製造方法。
【請求項２７】
前記ジェランガム被覆が、接触する身体器官から前記被覆を識別できる白色を有する、請求項２６に記載の方法。
【請求項２８】
前記第一溶液が、水及び極性溶媒の一方を含んでなる、請求項２４〜２７のいずれか１項に記載の方法。
【請求項２９】
ジェランガム被覆のイオン架橋を提供する前記化合物が、二価カチオンを含んでなる、請求項２４〜２８のいずれか１項に記載の方法。
【請求項３０】
前記二価カチオンが、Ca2+、Sr2+、Mg2+、及びBa2+からなる群から選択される、請求項２９に記載の方法。
【請求項３１】
前記第二溶液が、塩化カルシウム及び塩化バリウムの一方を含んでなる、請求項２４〜３０のいずれか１項に記載の方法。
【請求項３２】
乾燥ステップ後、曝すステップ前に、前記第一溶液をワークピース又は部品に再塗布し、得られた構造を乾燥させ、多層ジェランガム被覆を実現すること、をさらに含んでなる請求項２４〜３１のいずれか１項に記載の方法。
【請求項３３】
イオン架橋したジェランガム材料の外側部分から内側部分の、イオン架橋したジェランガム材料の密度勾配を提供するための曝すステップを制御すること、をさらに含んでなる請求項３２に記載の方法。
【請求項３４】
前記少なくとも１の部品が、血管移植片の管状部分を含んでなる、請求項２６に記載の方法。
【請求項３５】
前記管状部分が、血液がその環状壁を通って漏出しないように、ジェランガム被覆により密封される織布で実現される、請求項３４に記載の方法。
【請求項３６】
前記少なくとも１の部品が、ステント移植片の部分を含んでなる、請求項２６に記載の方法。
【請求項３７】
前記少なくとも１の部品が、ステントの部分を含んでなる、請求項２６に記載の方法。
【請求項３８】
前記少なくとも１の部品が、抗凝血剤を含有する、請求項３４〜３７に記載の方法。
【請求項３９】
第一溶液が少なくとも１の部品に塗布される前に、前記抗凝血剤が第一溶液に添加される、請求項３８に記載の方法。
【請求項４０】
前記ジェランガム被覆が治療剤を含有する、請求項２６に記載の方法。
【請求項４１】
材料からなる少なくとも１の膜を含んでなる医療デバイスであって、
前記少なくとも１の膜はイオン架橋したジェランガムを含有するとともに、
（i）イオン性ジェランガムを含有する複数の膜を積層してなる、多層構造の一部である、前記少なくとも１の膜、
（ii）１ミリメートル未満の厚みを有する、前記少なくとも１の膜、
（iii）均一な被覆を提供する、前記少なくとも１の膜、及び
（iv）実質的に白色である、前記少なくとも１の膜、
からなる群の少なくとも１つを有する医療デバイス。
【請求項４２】
前記医療デバイスが、ステント、ステント移植片、及び血管移植片からなる群から選択される、請求項４１に記載の医療デバイス。